(57)【要約】【課題】シートを折り畳み、組み合わせることによって形成され、被包装物を安定に収納でき、被包装物の固定性が改善され、かつ組立時の作業性にも優れた包装箱を提供すること。【解決手段】包装箱を構成するシートは、前面板１、第一側面板２、後面板３及び第二側面板４を連接して含むとともに、第一側面板２及び第二側面板４のいずれか一方又は双方の上端に連接して被包装物固定板２１、４１を含むものであり、被包装物固定板２１、４１は、２本の折目２１１、２１２、４１１、４１２を横方向に有しており、当該２本の折目間に、フラップ状固定手段２１３、２１４、４１３、４１４を有し、さらに、当該フラップ状固定手段の上辺に接して抜孔２１５、２１６、４１５、４１６を有する。【選択図】図１
2008105717.tif 000002
【特許請求の範囲】
【請求項１】
シートから組み立てられ、かつ被包装物を固定して収容する包装箱であって、
前記シートは、前面板（１）、第一側面板（２）、後面板（３）及び第二側面板（４）を連接して含むとともに、前記第一側面板（２）及び前記第二側面板（４）のいずれか一方又は双方の上端に連接して被包装物固定板（２１、４１）を含むものであり、
前記被包装物固定板（２１、４１）は、２本の折目（２１１、２１２、４１１、４１２）を横方向に有しており、
当該２本の折目間に、フラップ状固定手段（２１３、２１４、４１３、４１４）を有し、さらに、
当該フラップ状固定手段の上辺に接して抜孔（２１５、２１６、４１５、４１６）を有する、ことを特徴とする包装箱。
【請求項２】
前記フラップ状固定手段（２１５、２１６、４１５、４１６）は両開き構造のものである、ことを特徴とする請求項１に記載の包装箱。
【請求項３】
前記被包装物固定板（２１、４１）は、前記第一側面板（２）及び前記第二側面板（４）双方の上端に連接してあり、
２枚の前記被包装物固定板（２１、４１）を突き合わせた時に噛合を可能とする切欠部（２１８、４１８）を、その上端に有するものである、ことを特徴とする請求項１又は２に記載の包装箱。
【請求項４】
前記被包装物固定板（２１、４１）は、前記抜孔（２１５、２１６、４１５、４１６）の上方に、被包装物の上部を挿入して固定する保持孔（２１７、４１７）をさらに有するものである、ことを特徴とする請求項１〜３のいずれか１項に記載の包装箱。
【請求項５】
前記シートは、さらに、前記前面板（１）及び前記後面板（３）それぞれの下端に連接して外部底面板（１２、３２）及び横仕切板（１３、３３）を含むとともに、前記第一側面板（２）及び前記第二側面板（４）それぞれの下端に連接して内部底面板（２２、４２）及び縦仕切板（２３、４３）を含むものであり、
前記横仕切板（１３、３３）は、下端に、前記縦仕切板（２３、４３）と係合するために切欠溝（１３１、１３２、３３１、３３２）を有し、
前記内部底面板（２２、４２）及び前記縦仕切板（２３、４３）は、両板にわたって、前記横仕切板（１３、３３）を差し込んで係合させるために長方形状の抜溝（２４、４４）を有している、ことを特徴とする請求項１〜４のいずれか１項に記載の包装箱。
【発明の詳細な説明】
【技術分野】
【０００１】
本発明は、割れやすいガラス瓶や、ペットボトル等の瓶類に代表される被包装物を複数本、安定に収納し、被包装物の輸送等において使用される包装箱に関する。
【背景技術】
【０００２】
従来、一升瓶等の大型ガラス製容器に代表される瓶類の輸送用包装箱として、段ボール等のシート１枚を折り畳み、組み合わせることによって形成される包装箱が知られている。瓶類は輸送中の振動や衝撃によって割れやすいものであるが、そのような割れを防止するために、包装箱の底部及び上部の双方で瓶類を固定することによって瓶類の安定な収納を可能にした包装箱が提案されている（特許文献１及び２を参照）。
【０００３】
特許文献１では、瓶類を頭部で固定するために、上部内側に保持孔及び掛止孔を設けてなる瓶類包装箱が開示されている。この包装箱では、瓶類の水平方向での振動を防止することができるが、垂直方向で振動を受けた際には、掛止孔から瓶類の頭部が外れやすい、という問題点があった。さらに瓶類の頭部が掛止孔から外れた場合には、水平方向の保持性も低下し、瓶類が横倒しとなり瓶類の割れが生じやすくなる。また、保持孔は屈折落し蓋に設けられているが、この部材は組立時に１８０°の折曲を行う必要がある。このような折曲を行う際には、すでに収納している瓶類の頭部と衝突することになり、この点で組立作業が煩雑になっていた。
【０００４】
特許文献２では、折込蓋に係合孔を開設することによって瓶類を頭部で固定する瓶類収容箱が開示されている。この収容箱では、折込蓋の溝孔に、半部蓋板に連接した係止片を差し込む必要があるが、これには手間がかかり組立作業が煩雑となっていた。また、係止片を差し込む際に折込蓋が折れ曲がりやすく、その際には、垂直方向での瓶類の固定性が著しく低下するという問題があった。
【特許文献１】実開平６−７８２２４号公報
【特許文献２】実開平５−４０１２２号公報
【発明の開示】
【発明が解決しようとする課題】
【０００５】
本発明は、上記現状に鑑み、段ボール等のシートを折り畳み、組み合わせることによって形成され、複数本の被包装物を安定に収納することができ、被包装物の固定性が改善され、かつ組立時の作業性にも優れた包装箱を提供することを課題とするものである。
【課題を解決するための手段】
【０００６】
本発明の包装箱は、シートから組み立てられ、かつ被包装物を固定して収容する包装箱であり、
前記シートは、前面板（１）、第一側面板（２）、後面板（３）及び第二側面板（４）を連接して含むとともに、第一側面板（２）及び第二側面板（４）のいずれか一方又は双方の上端に連接して被包装物固定板（２１、４１）を含むものであり、
被包装物固定板（２１、４１）は、２本の折目（２１１、２１２、４１１、４１２）を横方向に有しており、
当該２本の折目間に、フラップ状固定手段（２１３、２１４、４１３、４１４）を有し、さらに、
当該フラップ状固定手段の上辺に接して抜孔（２１５、２１６、４１５、４１６）を有する、ことを特徴とするものである。
【０００７】
前記シートから包装箱を組み立てるにあたっては、まず、前面板（１）、第一側面板（２）、後面板（３）及び第二側面板（４）それぞれの境界線が９０°の折曲（山折り）をされる。これによって、上記四板が包装箱の四方を囲む前後側面を構成する。次に、第一側面板（２）及び／又は第二側面板（４）と被包装物固定板（２１、４１）との境界線が９０°の折曲（山折り）をされるとともに、第一側面板（２）又は第二側面板（４）から遠隔にあるほうの折目（２１１、４１１）は−９０°の折曲（谷折り）をされ、第一側面板（２）又は第二側面板（４）の近傍にあるほうの折目（２１２、４１２）は９０°の折曲（山折り）をされる。これによって、組み立てられた包装箱の上部において、被包装物固定板（２１、４１）は階段状の構造を持つ。包装箱に収納された被包装物の上部は被包装物固定板（２１、４１）を貫通するのであるが、具体的には、当該上部は、被包装物固定板（２１、４１）の裏面から抜孔（２１５、２１６、４１５、４１６）に挿入され、さらに、フラップ状固定手段（２１３、２１４、４１３、４１４）が開口して生じた開口部へと通過させる。そして、当該上部が、フラップ状固定手段によって水平方向に押され込まれることによって固定される。
【０００８】
本発明では、フラップ状固定手段（２１３、２１４、４１３、４１４）は両開き構造のものであることが好ましい。
【０００９】
本発明では、被包装物固定板（２１、４１）は、第一側面板（２）及び第二側面板（４）双方の上端に連接してあり、
２枚の被包装物固定板（２１、４１）を突き合わせた時に噛合を可能とする切欠部（２１８、４１８）を、その上端に有するものであることが好ましい。
【００１０】
本発明では、被包装物固定板（２１、４１）は、抜孔（２１５、２１６、４１５、４１６）の上方に、被包装物の上部を挿入して固定する保持孔（２１７、４１７）をさらに有するものであることが好ましい。
【００１１】
本発明では、前記シートは、さらに、前面板（１）及び後面板（３）それぞれの下端に連接して外部底面板（１２、３２）及び横仕切板（１３、３３）を含むとともに、第一側面板（２）及び第二側面板（４）それぞれの下端に連接して内部底面板（２２、４２）及び縦仕切板（２３、４３）を含むものであり、
横仕切板（１３、３３）は、下端に、縦仕切板（２３、４３）と係合するために切欠溝（１３１、１３２、３３１、３３２）を有し、
内部底面板（２２、４２）及び縦仕切板（２３、４３）は、両板にわたって、横仕切板（１３、３３）を差し込んで係合させるために長方形状の抜溝（２４、４４）を有していることが好ましい。
【発明の効果】
【００１２】
本発明の包装箱は、上述の構成よりなるので、段ボール等のシートを折り畳み、組み合わせることによって形成され、被包装物を安定に収納することができ、被包装物の固定性が改善され、かつ組立時の作業性にも優れているものである。
【００１３】
本発明の包装箱は、被包装物固定板に２本の折目を設けることによって、包装箱の組立時に１８０°折曲を行う必要がなくなり、シート１枚から９０°折曲のみで作成することが可能となり、組立作業が容易となった。
【００１４】
さらには、被包装物固定板がフラップ状固定手段、及び、その上辺に接した抜孔を有することによって、収納された被包装物の上部は、抜孔、及び、フラップ状固定手段が開口して生じた開口部に嵌合するとともに、フラップ状固定手段によって固定されることになるので、被包装物を包装箱内で安定に保持することが可能になる。具体的には、包装箱に収容された被包装物が水平方向の衝撃により振動するのを抑止することができる。なお本発明は、被包装物が衝撃を受けることによって割れやすいガラス瓶等の瓶類である場合に特に有効である。
【００１５】
本発明の好ましい態様ではフラップ状固定手段を両開き構造にすることによって、被包装物の上部がより安定に固定されるようになる。
【００１６】
特に包装箱を縦２列、横３列の合計６本入りとする場合においては、被包装物固定板が長くなるために撓みやすくなるが、２枚の被包装物固定板を突き合わせた時に噛合を可能とする切欠部を両板の上端に設けて、両板を噛合させることによってその撓みを抑止することができる。これによって、包装箱に収容された被包装物の上部の固定性を向上させることができ、特に被包装物が垂直方向の衝撃により振動するのを抑止することができる。
【００１７】
本発明の好ましい態様では抜孔の上方に、被包装物の上部を挿入して固定する保持孔を設けることによって、フラップ状固定手段及び抜孔以外での被包装物の固定が可能になり、例えば包装箱が縦２列、横３列の合計６本入りの場合には、横３列のうち中央の１列に含まれる２本の被包装物を固定することが可能になる。また、この保持孔に被包装物の上部を挿入することによって、被包装物固定板の安定性がより向上し、ひいては被包装物の上部の固定性が向上することになる。
【００１８】
本発明の好ましい態様では包装箱の底部に仕切体を設け、これによって被包装物の下部を固定することによって、被包装物全体の安定性を向上させることができる。
【発明を実施するための最良の形態】
【００１９】
以下に、本発明の具体的な実施態様を図面を参照しつつ詳細に説明するが、本発明はこれら実施態様又は図面に限定されるものではない。
【００２０】
ここで、図１は、本発明の一実施形態による縦２列、横３列の合計６本収納用の包装箱を構成するシートの展開平面図であり、図２は、図１記載のシートを組み立てて被包装物固定板の折曲を行った後の状態を示す斜視図である。
【００２１】
本発明の包装体を構成するシートでは、図１で示すとおり、前面板１、第一側面板２、後面板３及び第二側面板４が、この順序で、左右に連接しているものであるが、各板間の境界線には、折目が刻印されている。これらの折目が包装箱の組立時に９０°の折曲をされることによって、上記四板が包装箱の四方を囲む前後側面を構成することになる。前面板１、第一側面板２、後面板３及び第二側面板４の高さ（図１での長辺）は、収納する被包装物の全長よりもすこし長めのものに調整される。前面板１及び後面板３の幅（図１での短辺）は、被包装物の最大幅を考慮し、図１では３本分が収納可能となる幅である。第一側面板２及び第二側面板４の幅（図１での短辺）は、被包装物の最大幅を考慮し、図１では２本分が収納可能となる幅である。
【００２２】
前面板１の上端には、折目を介して、フラップ状の蓋板１１が連接している。当該折目が、組立の最終段階で９０°の折曲をされることによって、蓋板１１が包装箱の上蓋を構成することになる。
【００２３】
本発明の包装箱においては、底部の構造は特に限定されないが、被包装物の固定性を向上させ、複数の被包装物間の接触を防止するために、被包装物の支持体及び／又は仕切壁を設けることが好ましい。支持体及び／又は仕切壁は、本発明の包装箱を構成する１枚のシートに含まれ当該シートから組み立てられるものであってもよく、別途導入されるものであってもよい。支持体の具体例としては、特許文献１に記載されているもの等が挙げられる。本発明の包装箱を構成する１枚のシートが仕切壁をも含む場合について図１に基づいて以下に説明する。
【００２４】
前面板１及び後面板３それぞれの下端には、折目を介して、外部底面板１２、３２が連接している。当該折目が組立時に９０°の折曲をされることによって、この２枚の外部底面板１２、３２が並列して、包装箱の外側（最下層）の底面を構成することになる。
【００２５】
さらに、２枚の外部底面板１２、３２それぞれの下端には、折目を介して、横仕切板１３、３３が連接している。当該折目が組立時に９０°の折曲をされることによって、この２枚の横仕切板１３、３３が重ね合わさって包装箱内部で直立することになり、横方向（前面板１及び後面板３の短辺と平行な方向）での仕切壁を構成することになる。
【００２６】
２枚の横仕切板１３、３３の下端には、後述する縦仕切板２３、４３と係合するためにそれぞれ切欠溝１３１、１３２、３３１、３３２を設けている。包装箱が図１のように横３列での被包装物の収納を目的としているものであれば、切欠溝は２枚の横仕切板それぞれに２箇所ずつ設けられ、その際の切欠溝の幅は、１つの切欠溝に１枚の縦仕切板を挿入できるよう、シート１枚の厚みに調整される。一方、包装箱が横２列での被包装物の収納を目的としているものであれば、切欠溝は２枚の横仕切板それぞれに１箇所ずつ設けられ、その際の切欠溝の幅は、１つの切欠溝に２枚の縦仕切板を重ね合わせて挿入できるよう、シート２枚の厚みに調整される。図１では、切欠溝１３１、１３２、３３１、３３２は、前面板１及び後面板３の幅をほぼ三等分にする位置に設けられ、横仕切板１３、３３における縦方向での中央付近まで形成されている。
【００２７】
第一側面板２及び第二側面板４それぞれの下端には、折目を介して、内部底面板２２、４２が連接している。当該折目が組立時に９０°の折曲をされ、この２枚の内部底面板２２、４２は並列して包装箱の底面を構成することになるが、この底面は、外部底面板１２、３２によって構成される底面の内側（包装箱の内部）に位置することになる。
【００２８】
さらに、２枚の内部底面板２２、４２それぞれの下端には、折目を介して、縦仕切板２３、４３が連接している。当該折目が組立時に９０°の折曲をされることによって、包装箱が図１のように横３列での被包装物の収納を目的としているものであれば、この２枚の縦仕切板２３、４３が包装箱内部でそれぞれ独立して直立することになり、それぞれが、縦方向（前面板１及び後面板３の短辺に対して垂直な方向）での仕切壁を構成することになる。一方、包装箱が横２列での被包装物の収納を目的としているものであれば、２枚の縦仕切板２３、４３が包装箱内部で重ね合わさって直立して、一体になって縦方向での仕切壁を構成することになる。
【００２９】
内部底面板２２、４２及び縦仕切板２３、４３には、両板にわたって、横仕切板１３、３３を差し込んで係合させるために長方形状の抜溝２４、４４を設けている。この長方形状の抜溝には、２枚の横仕切板１３、３３が重ね合わせられて挿入されるので、当該抜溝の幅は、シート２枚分の厚みに調整される。当該抜溝は、内部底面板２２、４２及び縦仕切板２３、４３の幅をほぼ二等分にする位置に設けられ、第一側面板２又は第二側面板４と内部底面板２２、４２との境界近くから、縦仕切板２３、４３における縦方向での中央付近に至るまで延伸している。
【００３０】
外部底面板１２、３２と横仕切板１３、３３との境界線の両端部分には、切欠部による係止手段を設けている。これによって、収納する被包装物の本数が増えて包装箱の底面にかかる重量が増加した場合にあっても、底面が強固に維持され、底抜けの危険性を低減できる。
【００３１】
図１のシートから形成される包装箱の底部は、２枚の横仕切板１３、３３が一体になって形成される１枚の横仕切壁、及び、２枚の縦仕切板２３、４３が独立して形成する２枚の縦仕切壁によって、６区画に分画される。また、上述のように２枚の縦仕切板２３、４３が一体になって１枚の縦仕切壁を形成するようにすると、包装箱の底面は４区画に分画されることになる。それぞれの区画の大きさは、収納する被包装物の下部の大きさに合わせたものであり、それぞれの区画に被包装物を１本ずつ立置することになる。これによって、被包装物の下部での強固な固定が可能になる。
【００３２】
次に本発明の包装箱の上部構造について説明する。
【００３３】
第一側面板２及び第二側面板４のいずれか一方又は双方の上端に、折目を介して、フラップ状の被包装物固定板２１、４１が連接している。図１では、第一側面板及び第二側面板双方の上端にフラップ状の被包装物固定板が連接している。前記折目は、組立時に９０°の折曲をされる。当該被包装物固定板は、蓋板１１から構成される上蓋より下、すなわち組み立てられた包装箱の内側に位置する。
【００３４】
なお、図１では、横仕切板１３、３３、及び、縦仕切板２３、４３の高さを同一にしており、さらに、蓋板１１、及び、２枚の被包装物固定板２１、４１の高さを同一にしている。以上によって、包装箱を組み立てる際の糊付け工程時における作業性を改善している。
【００３５】
被包装物固定板２１、４１には、横方向（第一側面板２又は第二側面板４の短辺に対してほぼ平行になる方向）に２本の折目２１１、２１２、４１１、４１２が刻印されている。包装箱の組立時において、上方の折目２１１、４１１（第一側面板２又は第二側面板４から遠隔にあるほうの折目）は−９０°の折曲をされ、下方の折目２１２、４１２（第一側面板２又は第二側面板４の近傍にあるほうの折目）は９０°の折曲をされる。これによって、組み立てられた包装箱において、被包装物固定板２１、４１のうち上方の折目２１１、４１１より上位にある面２１ａ、４１ａ、及び、第一側面板２又は第二側面板４と下方の折目２１２、４１２との間にある面２１ｃ、４１ｃは、底面とほぼ平行に保持され、２本の折目の間にある面２１ｂ、４１ｂは、底面に対してほぼ垂直に直立することになる。
【００３６】
上方の折目２１１、４１１と下方の折目２１２、４１２との間には、フラップ状固定手段２１３、２１４、４１３、４１４を設けている。当該フラップ状固定手段は、被包装物の上部を安定に固定するためのものであり、シートに切目を刻印することによって開閉可能なように設けることができる。被包装物を収納する際には、当該フラップ状固定手段を開口することによって開口部を生ぜしめ、被包装物の上部を被包装物固定板２１、４１の裏（下）側から、後述の抜孔２１５、２１６、４１５、４１６に挿入し、さらに上記開口部を通過させる。図１ではフラップ状固定手段として両開き構造で長方形状のものを示しているが、片開き構造のものでもよいし、被包装物の上部の固定が可能になるものであれば形状も特に限定されない。フラップ状固定手段の幅は、これを開口することによって生じた開口部に被包装物の上部を挿入してその固定化が可能になるような幅に調整される。
【００３７】
上方の折目２１１、４１１、及び、フラップ状固定手段２１３、２１４、４１３、４１４の上端に接して、半円状の抜孔２１５、２１６、４１５、４１６を設けている。ただし抜孔の形状は特に限定されるものではなく、被包装物の上部の形状を考慮して適宜調整される。図１では半円状の抜孔の径を、フラップ状固定手段２１３、２１４、４１３、４１４の幅と同一としているが、被包装物の上部の径に合わせて調整可能である。
【００３８】
図１のシートから組み立てられた包装箱に被包装物を収納する際には、まず被包装物を包装箱内に立置した後、被包装物固定板２１、４１を被包装物の上部にかぶせるようにして被包装物を固定するのであるが、その固定は、被包装物固定板２１、４１の裏面から、半円状の抜孔２１５、２１６、４１５、４１６に被包装物（図１の場合、横３列のうち両端の２列に含まれる合計４本の被包装物）の上部を挿入し、さらに、フラップ状固定手段を開口することによって生じた開口部へと、被包装物の上部を通過させることによって行う。固定化後、被包装物固定板２１、４１上には、被包装物の上部が、縦割りにした円柱状として現れることになるが、当該部分がフラップ状固定手段によって押さえ込まれているような状態となっている。
【００３９】
図１において右側に位置する半円状の抜孔２１６、４１６の垂直上方には、被包装物の上部を挿入して固定する円形の保持孔２１７、４１７をさらに設けている。当該保持孔は、上記のフラップ状固定手段及び抜孔とは別に、被包装物の上部を固定するためのものであり、図１の場合、横３列のうち中央の１列に含まれる合計２本の被包装物の上部を固定するためのものである。保持孔の形状や大きさは被包装物の上部を固定する観点から適宜調整される。
【００４０】
図１では、被包装物固定板２１、４１の上端において、左側に位置する半円状の抜孔２１５、４１５の垂直上方で円形の保持孔２１７、４１７の横に、切欠部２１８、４１８を設けている。当該切欠部は、被包装物固定板２１、４１が２枚存在する場合に、それらを被包装物の上部にかぶせて固定する際、２枚の被包装物固定板を突き合わせて両板の噛合を可能にするものである。切欠部の形状は、２枚の被包装物固定板の噛合が可能となるものであれば特に限定されないが、図１における切欠部２１８、４１８の形状は、被包装物固定板２１、４１の左上方を切り取った形状になっている。そして、円形の保持孔２１７、４１７への被包装物の上部の挿入を阻害することがないように、半円状の切欠部をさらに追加した形状としている。
【００４１】
本発明の包装箱を組み立てるには、まず、前面板１の左辺と第二側面板４の右辺とを糊付けする。次いで、底部を組み立てた後、被包装物を包装箱内部に収納する。そして、被包装物固定板２１、４１の折曲を行うことによって被包装物の上部を固定した後、蓋板１１を閉じることによって、包装箱が輸送可能な状態になる。
【００４２】
図２は、図１記載のシートから包装箱の組立を行う途中の状態を示す斜視図であるが、被包装物固定板２１、４１の折曲を行った後で、蓋板１１を閉じる前の状態を示している（ただし、当該図には被包装物は図示していない）。横３列のうち両端の２列に含まれる合計４本の被包装物の上部は、半円状の抜孔２１５、２１６、４１５、４１６から挿入されることになるが、上部のおよそ左半分又は右半分は、底面に対してほぼ垂直に直立している面２１ｂ、４１ｂ（上方の折目２１１、４１１と下方の折目２１２、４１２との間にある面）の内奥に隠れていることになる。そして、縦割りにした円柱状として外部に現れる被包装物の上部については、両開き構造のフラップ状固定手段２１３、２１４、４１３、４１４によって固定されることになる。
【００４３】
一方、横３列のうち中央の１列に含まれる合計２本の被包装物の上部は、円形の保持孔２１７、４１７を通過して、被包装物固定板２１、４１の上側に突出している。２枚の被包装物固定板２１、４１は、切欠部２１８、４１８を利用して互いに噛合している。切欠部２１８、４１８による噛合のみならず、上述した２本の被包装物の上部が円形の保持孔２１７、４１７に挿入されていることによっても、被包装物固定板２１、４１は固定されることになるので、被包装物の上部が、水平方向及び垂直方向の双方に対してきわめて安定した状態で固定されることになる。
【図面の簡単な説明】
【００４４】
【図１】本発明の一実施形態による縦２列、横３列の合計６本収納用の包装箱を構成するシートの展開平面図
【図２】図１記載のシートを組み立てて被包装物固定板の折曲を行った後の状態を示す斜視図
【符号の説明】
【００４５】
１：前面板
２：第一側面板
３：後面板
４：第二側面板
１１：蓋板
１２、３２：外部底面板
１３、３３：横仕切板
２１、４１：被包装物固定板
２２、４２：内部底面板
２３、４３：縦仕切板
２４、４４：抜溝
１３１、１３２、３３１、３３２：切欠溝
２１１、４１１：上方の折目
２１２、４１２：下方の折目
２１３、２１４、４１３、４１４：フラップ状固定手段
２１５、２１６、４１５、４１６：抜孔
２１７、４１７：保持孔
２１８、４１８：切欠部
【図１】
2008105717.tif 000003
【図２】
2008105717.tif 000004